(57)【要約】【課題】  取引カードによる精算処理において、カード精算処理に必要な各種読取機能を備え、精算処理の追跡調査が容易で取引の真正を証明する証拠能力の高い店舗控用レシートを発行する印刷装置を提供すること。【解決手段】  印刷装置３０に、磁気読取部２４、画像読取部６２を設けて、必要に応じて、取引カードの画像データを取得し、取得した画像データを店舗控用レシート１０上に印刷することにより、使用された取引カードの画像と署名とを後日確認可能とした。また、署名済み店舗控用レシート１０を画像記憶部６０に記憶しておき、画像検索制御部５９により容易に検索することができるようにして、追跡調査を容易にした。印刷装置に取引カード読取機能、画像読取機能を付与することで、一台の印刷装置を付加するだけで、カード精算処理において、画像付き店舗控用レシートを効率的に発行することが可能となる。【選択図】  図５
2006099174.tif 000002
【特許請求の範囲】
【請求項１】
精算処理端末機とデータ通信を行う通信部と、
取引カードの電子記録データを読み取る取引カード読取部と、
撮像命令に基づいて、撮像台上に載置された取引カードの画像データを取得する画像読取部と、
取得した前記画像データを記憶する画像記憶部と、
前記精算処理端末から受信した取引データ及び所定の印刷命令に基づいて、前記画像データを含む店舗控用レシートの印刷データを生成する印刷制御部と、
前記印刷制御部の制御の下、生成した前記店舗控用レシートの印刷データを所定の印刷用紙に印刷して店舗控用レシートを発行する印刷部と、
を備えることを特徴とする印刷装置。
【請求項２】
前記印刷制御部は、前記精算処理端末からの店舗控用レシートの印刷命令に基づいて、前記画像記憶部に記憶している前記画像データを所定の位置に埋め込み前記店舗控用レシートの印刷データを生成し印刷することを特徴とする請求項１に記載の印刷装置。
【請求項３】
前記撮像台は、正面に設けられており、後方に所定の角度を持って傾斜する透明な材料の平面プレートからなり、前記画像読取部は、該平面プレートの内側に設けられ、前記平面プレート面上に載置された前記取引カードに正確に焦点が合うように配置されたエリアセンサからなることを特徴とする請求項１または２に記載の印刷装置。
【請求項４】
前記印刷装置は、レシートプリンタからなり、前記店舗控用レシートの印刷データを、レシート用紙上に印刷することを特徴とする請求項３に記載の印刷装置。
【請求項５】
前記印刷装置は、前記取引カードが前記撮像台に載置されたことを検知するセンサを備え、該センサからの検知信号に基づき、前記撮像命令を出力することを特徴とする請求項４に記載の印刷装置。
【請求項６】
さらに操作入力部を備え、前記撮像命令は、前記操作入力部からの入力信号に基づき出力されることを特徴とする請求項４に記載の印刷装置。
【請求項７】
精算端末装置と、取引カード読取部と画像読取部を有する印刷装置とを備える精算処理システムにおいて、
（ａ）前記精算端末装置により前記取引データを入力する工程と、
（ｂ）前記印刷装置の前記取引カード読取部により、前記取引カードの電子記録データを読み取る工程と、
（ｃ）前記電子記録データの読取エラーが発生した場合に、前記画像読取部により前記取引カードの画像データを取得する工程と、
（ｄ）前記工程（ｃ）において前記画像データを取得した場合には、少なくとも、取引内容、前記画像データ及び署名欄を印刷した店舗控用レシートを発行し、前記工程（ｃ）において画像データを取得していない場合には、画像データの印刷されない前記店舗控用レシートを発行する工程と、
（ｅ）署名された前記店舗控用レシートに署名されて返却されたときに、精算処理を完結させる工程と、
を備えることを特徴とする店舗控用レシートの発行処理方法。
【請求項８】
前記工程（ｃ）において、電子記録データの読取結果の如何にかかわらず、前記取引カードの画像データを取得し印刷することを特徴とする請求項７に記載の店舗控用レシートの発行処理方法。
【請求項９】
前記工程（ｂ）乃至前記工程（ｄ）の処理を、前記印刷装置に予め記憶された処理手順に従い、実行することを特徴とする請求項７又は８に記載の店舗控用レシートの発行処理方法。
【発明の詳細な説明】
【技術分野】
【０００１】
本発明は、クレジットカード等の取引カードによる取引処理に関し、特にクレジット取引において発行する店舗控用の伝票またはレシート（本明細書では、単に「店舗控用レシート」と称する）を発行する印刷装置及びクレジット精算処理方法に関する。
【背景技術】
【０００２】
スーパーマーケット、その他の小売店、またはレストラン等の飲食店において、顧客の購入商品又は取引の会計処理（精算処理）は、顧客の希望により、クレジットカード会社が発行したクレジットカード又は商品またはサービスの提供企業が発行する自社専用の取引カード等を用いて、信用取引により支払い料金の精算が行われることがある（本発明においては、このような信用取引カードを「取引カード」と称する）。このような場合には、取引カードの上に記録された電子記録データを取引カード読取部により読み取り、読み取った情報に基づいて、取引カードによる所定の精算処理を実効する。
【０００３】
取引カードによる精算、例えば、クレジットカードによる精算は、精算金額の大きさ等の所定の条件に応じてカードの信用照会が行われ、取引に問題がない場合には、印刷装置によりクレジットカードの番号、取引内容の明細、署名欄等が印刷された伝票又はレシートが発行される。顧客は取引内容を確認した後、印刷内容に問題がなければ、伝票の署名欄に署名する。署名された伝票又はレシートは、取引の真正を証明する証拠として、店舗により所定期間保管される。
【０００４】
このようなクレジットカードによる精算処理においては、何らかの原因により、クレジットカードの電子記録データを取引カード読取装置により読み取ることができない場合、又は信用照会ができない場合がある。このような場合でも、必要なクレジット情報をオペレータがキー入力して精算処理を続行することができる。そのような場合には、クレジットカード上に凹凸の刻印により印刷されたカード番号(これを「エンボス」と称する)を、インプリンタにより所定の伝票上に物理的に写し取り（転写して）、証拠として保存している（このような転写を、以下「インプリント」と称する）。
【０００５】
一方、カードの画像を機械的に読み取り個人情報としてデータベース化して記憶する技術として、運転免許証の画像を読取り、データベース化する情報収集システムが提案されている（特許文献１参照）
【特許文献１】特開平９−６２８２７号公報
【発明の開示】
【発明が解決しようとする課題】
【０００６】
しかし、特許文献１に記載の技術は、個人情報取得のために画像データを取得するものではあるが、磁気読取装置及びプリンタの機能を融合してクレジットカードの精算処理を効率化することについては、何も開示されておらず示唆されてもいない。
【０００７】
一方、上述のようなインプリントによるカードデータの保存は、クレジットカード（取引カード）のエンボス文字を転写用紙上に擦り付けて転写するため、エンボス文字を磨耗させ、または破損するおそれがある。また、インプリント文字は不鮮明であるという問題に加えて、インプリント操作は面倒な上に不愉快で大きな音を発生させるので、レストラン等の所定の静寂さが求められる店舗によっては、店舗イメージを害するおそれがある等の問題もある。
【０００８】
さらに、近時、特定個人のキャッシュカードやクレジットカードの情報を不法に盗み取り、本物と全く同一の電子記録データを記録したクレジットカードを偽造して、不正に使用するという犯罪が頻発している。このような状況下においては、顧客の使用を証明するために、できるだけ高い証拠能力を有する証拠資料を保持しておくことが望ましい。信用取引額をクレジット口座から引き落とす際に、顧客が自己のクレジットカード（取引カード）の使用を否定して、支払いを拒否した場合に、店舗控資料の証拠能力が低い場合には信用取引ロスが発生するおそれがあるからである。このような状況に鑑み、取引カードによる精算には、より証拠能力の高い資料を確保しておくことが望まれる。
【０００９】
本発明はかかる従来技術の問題に鑑みてなされたものであり、取引カードによる精算処理において、精算処理の追跡調査が容易で取引の真正を証明する証拠能力の高い店舗控用レシートを発行する印刷装置及び店舗控用レシートの発行方法を提供することを目的とする。
【００１０】
さらに本発明は、既にクレジットカード処理機能を有する精算処理システムのプログラムを、ほとんど変更することなく、証明力の高い店舗控用レシートを発行することが可能な印刷装置及び店舗控用レシートの発行方法を提供することをその目的とする。
【課題を解決するための手段】
【００１１】
本発明は、印刷装置に取引カード読取機能、画像読取機能を設けて、取引カードの電子記録データを読み取り、必要に応じて取引カードの画像データを取得し、取得した画像データを店舗控用レシート上に印刷することにより、精算に使用された取引カードを後日店舗控用レシートにより確認可能とすることができるようにして、上記課題を解決した。
【００１２】
本発明の第１の態様にかかる印刷装置は、精算処理端末機とデータ通信を行う通信部と、取引カードの電子記録データを読み取る取引カード読取部と、撮像命令に基づいて、撮像台上に載置されたクレジットカードの画像データを取得する画像読取部と、取得した画像データを記憶する画像記憶部と、精算処理端末から受信した取引データ及び所定の印刷命令に基づいて、画像データを含む店舗控用レシートの印刷データを生成する印刷制御部と、印刷制御部の制御の下、生成した店舗控用レシートの印刷データを所定の印刷用紙に印刷して店舗控用レシートを発行する印刷部とを備えることを特徴とする
【００１３】
この態様によると、印刷装置に取引カード読取部及び画像読取部を備えており、必要に応じて取引カードの画像データを取得し、店舗控レシートに印刷することが可能となる。店舗控用レシートは、顧客が署名するものであり、署名の真正が証明されることにより、使用された取引カードも証明されることとなり、より証拠能力が高くなる。また、取引カードの電子記録データが読めずに、取引カード番号がマニュアル入力された場合等における入力ミスも、画像データにより確認することが可能となる。
【００１４】
尚、取引データによるすべての取引につき、店舗控用レシートに画像データを取得し印刷するか、電子記録データが読めない場合のみ画像データを取得し印刷するかは、任意に選択可能である。このように、画像読取部により、カードの画像データを取得するので、インプリント用に不鮮明な画像となることも、カードを破損することもなく、また不愉快な音を発生することもない。尚、画像読取部は、ＣＣＤ、ＣＭＯＳ等のエリアセンサが望ましい。エンボス文字の画像を鮮明に撮像するには、ＣＩＳよりもエリアセンサの方が望ましいからである。さらに、取引カード読取、及び画像読取の一連の処理を印刷装置のみにより実行可能であり、より効率的な処理が可能となる。
【００１５】
本発明の他の態様にかかる印刷装置は、印刷制御部が、精算処理端末からの店舗控用レシートの印刷命令に基づいて、画像記憶部に記憶している画像データを所定の位置に埋め込み店舗控用レシートの印刷データを生成し印刷することを特徴とする。この態様では、画像読取部により取得した画像データを印刷装置内に保存しておき、精算処理端末からの印刷命令を受信したときに、予め決められた所定の位置に、画像データを埋め込み、店舗控用レシートデータを生成し印刷する。これにより、画像読取データの転送が不要となり、効率的な処理が可能となる。
【００１６】
本発明の他の態様にかかる印刷装置は、撮像台が、正面に設けられており、後方に所定の角度を持って傾斜  本発明の他の態様にかかる印刷装置は、する透明な材料の平面プレートからなり、画像読取部は、該平面プレートの内側に設けられ、平面プレート面上に載置された取引カードに正確に焦点が合うように配置されたエリアセンサからなることを特徴とする。このように、撮像台を正面に設けて、後方に傾斜させることにより、取引カードを載置することが容易となり、置き場所が見やすいので、所定の指定位置に正確に載置することが可能となる。
【００１７】
本発明の他の態様にかかる印刷装置は、印刷装置が、レシートプリンタからなり、店舗控用レシートの印刷データを、レシート用紙上に印刷することを特徴とする。この態様では、店舗控用レシートを顧客用レシートと同じロール紙上に印刷することにより、１ステーションプリンタにより、取引カード処理に必要な書類の発行が可能となる。
【００１８】
本発明の他の態様にかかる印刷装置は、取引カードが撮像台に載置されたことを検知するセンサを備え、該センサからの検知信号に基づき、撮像命令を出力することを特徴とする。この態様により、取引カードを撮像台に載置するだけで、画像が取得可能となり、その後の一連の処理が実行される。尚、本実施態様においては、センサからの検知信号を受信した後、所定の時間経過後に撮像を開始する構成とすることが望ましい。
【００１９】
本発明の他の態様にかかる印刷装置は、さらに操作入力部を備え、操作入力部からの入力信号に基づき撮像命令を出力することを特徴とする。取引カードを所定の撮像台に載置した後に、操作入力部の操作により、撮像信号を入力して撮像を開始するものである。
【００２０】
本発明の第１の態様にかかる店舗控用レシートの発行処理方法は、精算端末装置と、取引カード読取部と画像読取部を有する印刷装置とを備える精算処理システムにおいて、（ａ）精算端末装置により取引データを入力する工程と、（ｂ）印刷装置の取引カード読取部により、取引カードの電子記録データを読み取る工程と、（ｃ）電子記録データの読取エラーが発生した場合に、画像読取部により取引カードの画像データを取得する工程と、（ｄ）工程（ｃ）において画像データを取得した場合には、少なくとも、取引内容、画像データ及び署名欄を印刷した店舗控用レシートを発行し、工程（ｃ）において画像データを取得していない場合には、画像データの印刷されない店舗控用レシートを発行する工程と、（ｅ）署名された店舗控用レシートに署名されて返却されたときに精算処理を完結させる工程を備えることを特徴とする。
【００２１】
本発明の他の態様にかかる店舗控用レシートの発行処理方法は、工程（ｃ）において、電子記録データの読取結果の如何にかかわらず、取引カードの画像データを取得することを特徴とする。
【００２２】
本発明の他の態様にかかる店舗控用レシートの発行処理方法は、工程（ｂ）乃至工程（ｄ）の処理を、印刷装置に予め記憶された処理手順に従い、実行することを特徴とする。この態様により、従来の取引カードによる精算処理システムを変更することなく、本発明にかかる印刷装置を導入するだけで、本発明にかかる店舗控用レシートを発行することが可能となる。
【発明の効果】
【００２３】
本発明によると、取引カードの電子記録データの読み取り、画像データの読み取り、及び印刷が、一台の印刷装置により可能となるので、印刷装置の設置スペースを確保するだけで良く、コンパクトな精算カウンタ環境を提供することができる。また、本発明にかかる印刷装置では、店舗控用レシート上に、取引カードの番号、取引明細に加えて、取引カードの画像データを印刷することができる。このような店舗控用レシートに使用者の署名をもらうことにより、クレジットカードの特定と署名とが一体となり、本人使用をより確実に証明することが可能となる。
【００２４】
また、取引カードに記載されている署名も画像データとして取り込み店舗控用レシートに印刷し、さらに当該レシートに顧客の直筆の署名を記載するようにすると、その場で両方の署名を見比べることができ、即座に本人かどうかの識別が可能であり、また両方の署名の記録を残すことで、より証明力の高い店舗控用レシートを得ることができる。
【００２５】
さらに、取引カードと接触することなく画像データを取得するので、取引カードの磨耗すること及びエンボス文字が不鮮明になること、インプリントのような不愉快な騒音を防止することが可能となる。また、画像読取機能を印刷装置に持たせることにより、画像データを印刷する場合に、画像データを精算端末装置等に転送する必要がなく、高速かつ効率的な印刷処理が可能となる。さらに、本発明の印刷装置を接続するだけで、既にクレジット精算処理引き処理が可能な精算処理システムに、容易に画像付き店舗控用レシートを発行する機能を加えることが可能となる。
【発明を実施するための最良の形態】
【００２６】
図面を用いて本発明の最良の実施形態を説明する。
【００２７】
（本発明にかかる店舗控用レシートを使用したクレジット精算処理の手続き）
本発明は、取引カードによる精算に関するものであるが、以下の説明においては、取引カードの典型例である、クレジットカードを使用する場合を用いて説明する。
例えば、レストランで食事をし、又は各種店舗で所定の商品を購入した際には、精算カウンタ（レジ）において、精算処理を行なう。精算カウンタでは、提供したサービスに関するデータ入力又は購入商品データ入力が行われ、入力データに基づいて顧客の支払い合計金額が算出され、印刷装置により顧客用のレシートとして渡される。
【００２８】
本発明においては、クレジットカードによる支払いの場合には、磁気記録読取装置（ＭＳＲ）により、クレジットカードに記録されている磁気記録データが読み取られ、さらに必要に応じて、画像読取部によりクレジットカードの画像情報を取得することが可能である。次に、印刷装置により、店舗控用レシートが印刷されて、顧客が署名をし店舗の控え証明として保管される。本発明においては、クレジットカードの画像を取得した場合には、店舗控用レシートには、取引情報（購入商品名、支払い金額等）、及び顧客の署名欄等の他に、取得したクレジットカードの画像データが印刷される。
【００２９】
顧客は、提示された店舗控用レシートに印刷された内容を確認した上で、間違いがなければ確認した証として自己の署名をし、店舗側に返却する。店舗ではクレジットカードに記載された署名と店舗控用レシートに直筆で書かれた署名とを比較して、本人確認を行う。このとき、クレジットカードに記載された署名も画像データとして取り込み店舗控用レシートに印刷しておくと、同じレシート上に顧客の直筆の署名がなされるので、その場で両方の署名を見比べることができ、即座に本人かどうかの識別が可能である。
【００３０】
署名されて返却された店舗控用レシートは、所定の期間、店舗または管理部門に保管される。これらの書類は、クレジットカード会社からの問合せや、クレジットカードの使用についての顧客からの質問、またはクレーム等があった場合に、取引の存在を証明する書類として使用される。本発明にかかる店舗控用レシートは、使用明細及び使用されたクレジットカードの画像が一体となっている一枚の用紙であり、その用紙上の顧客の署名がなされているので、現実の取引の実態をより正確に追跡でき、署名者の確認した範囲をより明確に証明することが可能となる。
【００３１】
このようなクレジットカードの画像データの印刷は、磁気記録データを読み取ることができなかった場合のみ、画像データを取得し、店舗控用レシートに印刷するような構成とすることも可能であるが、すべてのクレジット取引において、画像データを印刷した店舗控用レシートを発行するものとすることも可能である。なお、本発明の実施形態の説明では、クレジットカードの磁気記録データを磁気記録読取装置により読み取る例で説明しているが、ＩＣカード化されたクレジットカードの場合、記録された電子データを不図示の接触型あるいは非接触型のＩＣカード読取装置で読み取るようにしても良い。
【００３２】
（店舗控用レシートの実施例）
まず、図１に、本発明により発行される店舗控用レシート１０の一実施例を示す。最上段に定型の店舗名と電話番号等の店舗情報１１が印刷され、その下には、購入者の名前と精算日及び取引データ１２が印刷されている。取引データとしては、購入商品名「ＡＢＣＤＥＦＧ」とその値段、割引金額、及び消費税額及び支払い合計金額が例示されている。さらにその下には、取得したクレジットカードの画像１３が印刷されており、最下段に線分が引かれた署名欄１４が設けられている。顧客はこれらの印刷内容に間違いがないかを確認した上で、クレジットカードによる精算処理を認めることの意思表示として署名をする。これらの情報に加えて、さらに、クレジットカード番号、レシート番号等の情報を印刷するようにすることも可能である。
【００３３】
また、図１では示していないが、署名欄１４の直近上部に、「本レシートに印刷されている支払額を、上記画像のクレジットカードにより精算することを希望する」旨の意思表示を示す文言(文章)を印刷しておくことも可能である。また署名欄１４の上部にクレジットカードの裏の署名も画像データとして取り込み、印刷しておくことも可能である。
【００３４】
本発明にかかる店舗控用レシートは、クレジットカードの画像を備えることを特徴とするものであり、クレジットカードの画像以外の印刷項目については、本発明を実施する個々の店舗等において必要とする印刷項目を自由に追加し、または削除することができる。例えば、店舗控用レシートとジャーナルとに同じ連番を付してリンクさせることにより、店舗控用レシート上は、精算合計金額のみを記載することも可能である。取引内容に対する証明能力が低下するが、スーパー等のような店舗において取引項目（購入商品）が多い場合に、店舗控用レシートの印刷量が取引内容により変動することがなくなり、店舗控用レシートのサイズが固定されるので、保管が容易となる。
【００３５】
（店舗控用レシートを発行するシステムの構成例）
図２は、本発明にかかる印刷装置３０を用いた取引カードによる精算処理方法を実行するための店舗システムの一例を示す機能ブロック図である。図２の例では、ＰＯＳサーバとＰＯＳ端末装置とからなるＰＯＳシステムの例を示しているが、スタンドアロンの精算端末装置であっても、本発明の適用は可能である。
【００３６】
また、ＰＯＳサーバ２１は、複数の店舗または売り場を管理するＰＯＳセンタの管理システムに接続されていてもよい。ＰＯＳサーバ２１には精算端末装置としてＰＯＳ端末装置２２が接続されており、ＰＯＳ端末装置２２からの要求に応じて、購入商品の価格情報を提供するとともに、在庫情報、販売情報を販売時点で即時に更新する。ＰＯＳ端末装置２２は、キー入力装置、バーコードスキャナ、表示機等（図示せず）を備えている。また、ＰＯＳ端末装置２２には、さらに本発明にかかる印刷装置３０が接続されている。印刷装置３０は、磁気読取部２４と、クレジットカード等の画像データを取得する画像読取部２５とを備えている。
【００３７】
ＣＡＴ端末２６は、クレジットカードの与信状況をオンラインで確認するための照会端末であり、ＰＯＳシステムに接続されて、ＰＯＳシステムからのクレジットカード番号に基づいて与信照会を行う構成とすること、または、ＰＯＳシステムとは切り離して、独立した照会端末として使用することも可能である。ＣＡＴ端末２６は、通常、精算額が所定金額以上のときに、クレジットカードの与信状況を確認するために利用される。
【００３８】
図２における精算処理手順を簡単に説明する。例えば、スーパーマーケットにおいて顧客が所定の商品を購入すると、ＰＯＳ端末装置２２により、その商品に貼付されたバーコードがバーコードスキャナにより読み取られ、読み取られたバーコードデータに基づいて、購入商品の名称、価格データ等の商品情報が取引情報として入力される。
【００３９】
ＰＯＳ端末装置２２には、印刷装置３０が接続されている。クレジットカード等の取引カードの場合には、印刷装置３０の磁気読取部２４により磁気記録データが読み取られ、必要に応じて、画像読取部２５によりクレジットカードの画像データがよみとられる。印刷装置３０は、入力されたデータに基づいて、印刷用紙、伝票用紙等に、顧客用レシート及び店舗控用レシート１０等を印刷する。カードの画像データを取得した場合には、店舗控用レシート上に画像データが印刷される。
【００４０】
印刷装置３０の磁気読取部２４は、クレジットカードを案内する読取溝に沿ってスライド移動させることにより、クレジットカードに記録された磁気記録データを読み取る。画像読取部２５は、例えば、ＣＣＤ、又はＣＭＯＳ等からなるエリアセンサを備えており、クレジットカード表面のイメージデータ（画像データ）を取得し、電子データとして記憶する。画像読取手段として、コンタクトイメージセンサ（ＣＩＳ）を用いることもできるが、ＣＩＳの場合、エンボス文字の鮮明な画像を取得することが困難な場合もあるので、上述のような非接触型の画像読取手段を用いることが望ましい。
【００４１】
図３及び図４に、本発明の一実施例にかかる印刷装置を示す。図３は、印刷装置３０の斜視図であり、図４は、その中央縦断面図である。この印刷装置３０は、図２に示すとおり、印刷部２３、磁気読取部２４、画像読取部２５を備え、印刷機能に加えて、磁気記録読取機能、及び画像読取機能を有している。
【００４２】
印刷装置３０の内部には、印刷用紙をロール状に巻き込んだロール紙４０が収納されている。ロール紙４０から引出された印刷用紙は、印刷ヘッド３７の前面を通過することにより印刷され、印刷後のレシートを所定の位置で切断する可動刃３８を経て、レシート発行口３９から排出される。
【００４３】
磁気読取部２４には、クレジットカードをスライドさせる読取溝３１を備えている（図３参照）。読取溝３１の内部には、クレジットカード上の磁気記録データを読み取るための磁気読取ヘッド（図示せず）を備えている。
【００４４】
画像読取部２５には、正面に、ガラス等のような透明に近い透光性を有する平面プレートを備える撮像台３２が設けられている。撮像台３２は、後方に向って斜めに上方に傾斜している。クレジットカードの画像を取得する場合には、撮像したい面を下にして撮像台３２上にクレジットカード７０（図４参照）を載置して、撮像を行う。撮像台３２には、クレジットカード７０を支持するための支持ガイド３３が設けられている。
【００４５】
撮像台３２の裏側（画像読取部２５の内部）には、撮像素子としてＣＣＤ、Ｃ−ＭＯＳ等のエリアセンサ３６（図４参照）が設けられており、クレジットカード７０の画像データを取得することができる。尚、撮像台３２のガラス面の裏側をＣＩＳが接触移動するように構成することにより（図示せず）、ＣＩＳにより画像取得を行うように構成することも可能である。
【００４６】
クレジットカード７０の撮像は、撮像スイッチ３４を設けて、撮像スイッチ３４を押下することにより撮像を開始するよう構成しても、クレジットカード７０が撮像台３２上にセットされたことをセンサ（図示せず）により検知して、検知後所定期間が経過した後に自動的に撮像する構成としてもよい。読み取られた画像データは、印刷装置３０内の画像記憶部に一時記憶または長期記憶されて、精算端末装置２２からの印刷命令に応じて、店舗控用レシート１０上に印刷される。
【００４７】
さらに、顧客の署名が完了した店舗控用レシート１０を撮像台３２上に載置して、署名後の店舗控用レシート１０を撮像し、撮像した画像データを検索可能に記憶する構成とすることも可能である。この場合には、取得した画像データは、精算端末装置、その他のいずれの装置内に記憶しても良いが、汎用的なＯＳで動作する端末装置内に記憶するのは、セキュリティの観点より好ましくない。従って、独自の仕様で動作する印刷装置３０内に記憶するのが望ましい。クレジットカードに記載された署名も画像データとして取り込み印刷し、さらに顧客の署名もなされた店舗用控用レシート１０を撮像しておくことも好ましい。
【００４８】
図５に、図２乃至図４に示す印刷装置３０の機能ブロック図を示す。印刷装置３０は、ＰＯＳ端末装置等の精算端末装置２２等の外部装置とのインタフェース５１、制御部５２、印刷バッファ５３、印刷機構５４、磁気読取部２４、エリアセンサ等からなる画像読取部２５、及び画像記憶部６０を備えている。制御部５２は、印刷装置３０の全体動作を制御する他、磁気読取制御部５６、画像読取制御部５７等を備えている。さらに、画像データから取引カード番号を読み取る（デコードする）デコード処理部５８を設けることもできる。
【００４９】
印刷装置３０は、インタフェース５１を介して、ＰＯＳ端末装置等の精算端末装置に接続され通信を行う。磁気読取部２４により読み取られたデータは制御部５２及びインタフェース５１を介して、精算端末装置２２に送信される。画像読取部２５は、画像読取制御部５７の制御の下、撮像台３２に置かれたクレジットカード７０を撮像し、クレジットカード７０の画像データを取得する。取得した画像データは画像記憶部６０に一時記憶される。画像データは、印刷命令に基づいて、印刷バッファに転送され、店舗控用レシート上に印刷される。
【００５０】
また、署名後の店舗控用レシートの画像データを、画像読取部２５により読み取ることにより、画像記憶部６０に検索可能に記憶することができる。検索可能に記憶するとは、例えば、店舗控用レシート番号、クレジット番号、または日付及び顧客の氏名等を検索キーにして、対応する画像データを検出して読み出すことができるように、記憶することをいう。検索は、精算端末装置等からの検索命令に従い、画像検索制御部５９により行う。
【００５１】
記憶部６０はいわゆるＲＡＭやフラッシュＲＯＭ等のメモリーであっても、ディスク装置、またはＤＶＤ等の記録装置であっても良い。また、前述したように、セキュリティの観点からは、これらの画像データは印刷装置内に記憶することが好ましいが、精算端末装置、その他の装置内に記憶することも可能である。
（店舗控用レシートの発行手順）
次にフローチャートを用いて、店舗控用レシートの発行手順を説明する。図６は、図２に示す本発明にかかる印刷装置を用いてクレジットカードによる精算処理を行う、本発明にかかる処理手順の一実施形態を示すフローチャートである。
【００５２】
レストラン又は美容マッサージ等においては各種サービスの提供の終了後に、小売店舗等においては購入商品を顧客が精算カウンタに持っていくことにより、精算処理を開始する。精算カウンタにおいて、提供サービス又は購入商品の名称、価格等の取引データが、バーコードスキャナやキー入力装置により精算端末装置に入力される（Ｓ１０１）。クレジットカードによる精算の場合には、カード処理装置３０の磁気読取部２４により、顧客から受領したクレジットカードの磁気記録データが読み取られる（Ｓ１０２）。
【００５３】
磁気記録データを読み取ることができた場合及びクレジットカードが撮像台３２に載置されない場合（Ｓ１０３；Ｎｏ）には、必要に応じて与信チェック（ブロック８１）が行われる。与信に問題がなければ（Ｓ１０６；Ｙｅｓ）、クレジットカードの画像が印刷されない店舗控用レシートが印刷され、発行される。
【００５４】
磁気記録データの読み取りエラー又は撮像台３２にカードが載置された場合には（Ｓ１０３；Ｙｅｓ）、画像データの取得（Ｓ１０８）及びクレジットカード番号のキー入力（Ｓ１０９）が行われる。画像データの取得及びキー入力が終了すると（Ｓ１０８、Ｓ１０９）、必要に応じて与信チェック（ブロック８１）が行われる。与信に問題がなければ（Ｓ１１２；Ｙｅｓ）、画像データが精算処理端末又は印刷装置に送信されて、クレジットカードの画像が印刷された店舗控用レシートが発行される（Ｓ１１３）。
【００５５】
与信チェックを行う場合（Ｓ１０４；Ｙｅｓ、１１０；Ｙｅｓ）、ＣＡＴ端末２６等を通じて、オンラインにより与信確認システムへ与信照会を行う（Ｓ１０５、Ｓ１１１）。与信照会により、当該クレジットカードの与信状況に問題がある場合には（Ｓ１０６；Ｎｏ、Ｓ１１２；Ｎｏ）、クレジットカードによる取引は中止される（Ｓ１１５）。
【００５６】
与信チェックを行わない場合（Ｓ１０４；Ｎｏ、Ｓ１１０；Ｎｏ）には、磁気記録データが読めたかどうかに応じて、クレジットカードの画像が印刷されない店舗控用レシート
または、画像データが印刷された店舗控用レシートが発行される（Ｓ１０７、Ｓ１１３）。顧客が店舗控用レシートの内容を確認して署名を行うと、精算端末機により、精算処理を確定して、顧客用のレシートを発行し（Ｓ１１４）、次の精算処理を行うためのスタンバイ状態となる。
【００５７】
この例では、顧客による署名の終了後に、精算処理及びレシートを発行する構成を示したが、与信チェック完了後（Ｓ１０６；Ｙｅｓ、Ｓ１１２；Ｙｅｓ）、または与信チェック不要の判断後（Ｓ１０４；Ｎｏ、Ｓ１１０；Ｎｏ）すぐに精算処理を実行し、店舗控え用レシート１０と、顧客用レシートを連続して出力するようにすることも可能である。その際、レシート出力の順番はいずれが先でもよく、顧客用のレシートを先に印刷した後に店舗控用レシートを印刷するように構成してもよい。
【００５８】
尚、図６中の工程Ｓ１０２、Ｓ１０９（クレジットカード番号をデコードする場合を除く）、及びブロック８１以外の処理を印刷装置で実行するように構成することにより、従来のカード精算処理システムを変更することなく、本発明の印刷装置３０を導入するだけで、画像データを印刷する店舗控用レシートを発行可能な構成とすることが可能となる。
【００５９】
図７は、クレジットカードによる精算処理を行う本発明にかかる処理手順の他の実施形態を示すフローチャートである。
【００６０】
この実施形態では、クレジットカードの磁気記録データを読み取り可能か否かに関係なくすべての処理において、画像データを印刷した店舗控用レシートを発行するものである。図７との違いは、磁気記録データの読取エラーが発生したら（Ｓ２０３；Ｙｅｓ）、カード番号の入力を行うこと（Ｓ２１０）、及びすべての店舗控用レシートにクレジットカードの画像を印刷することだけである（Ｓ２０８）。この場合において、カード番号の入力に代えて、カード処理装置３０において、画像データから取引カード番号をデコードするように構成してもよい。
【００６１】
尚、図６、図７のいずれにおいても、与信チェックのブロック８１は、省略するよう構成することが可能である。
【図面の簡単な説明】
【００６２】
【図１】本発明の処理手順により発行される店舗控用レシートの例を示す図である。
【図２】本発明にかかる印刷装置を用いた、取引カードによる精算処理方法を実現するための店舗システムの一例を示す機能ブロック図である。
【図３】本発明の一実施例にかかる印刷装置を示す斜視図である。
【図４】図３に示す印刷装置の中央縦断面図である。
【図５】図３に示す印刷装置の機能ブロック図である。
【図６】取引カードによる精算処理を行う本発明にかかる処理手順の一実施形態を示すフローチャートである。
【図７】取引カードによる精算処理を行う本発明にかかる処理手順の他の実施形態を示すフローチャートである。
【符号の説明】
【００６３】
１０  店舗控用レシート                  １２  取引データ
１３  クレジットカードの画像            １４  署名欄
２４  磁気読取部                        ２５  画像読取部
３０  印刷装置                          ３１  読取溝
３２  撮像台                            ３３  支持ガイド
３４  撮像スイッチ                      ３６  エリアセンサ
３７  印刷ヘッド                        ３８  可動刃
３９  レシート排出口                    ４０  ロール紙
７０  取引カード
【図１】
2006099174.tif 000003
【図２】
2006099174.tif 000004
【図３】
2006099174.tif 000005
【図４】
2006099174.tif 000006
【図５】
2006099174.tif 000007
【図６】
2006099174.tif 000008
【図７】
2006099174.tif 000009